(57)【要約】【課題】デリバリーホースの先端からの調整用ロープの不用意な外れを確実に防止するとともに、調整用ロープの断裂を確実に防止することができるデリバリーホースの打設構造を提供する。【解決手段】生コンクリートポンプ車から圧送される生コンクリートを、ブーム車の第１貫通管、第１鉄製配管、第２貫通管、第２鉄製配管、第３貫通管、第３鉄製配管、第４貫通管、第４鉄製配管２７及びデリバリーホース２８を順に介して打設現場Ｘ１まで送給する。そして、デリバリーホース２８の先端に、その先端の外径を拡径させた鍔状の拡径部２８２を一体的に形成する。更に、デリバリーホース２８の先端に、当該デリバリーホースの先端から吐出される生コンクリートの打設方向を調整する調整用ロープ４１〜４４を脱着可能に取り付けている。【選択図】図４
2011127357.tif 000002
【特許請求の範囲】
【請求項１】
ポンプから鉄製配管を介して圧送される生コンクリートを前記鉄製配管の先端に基端が固定された可撓性を有するデリバリーホースを介して打設するようにしたデリバリーホースの打設構造であって、
前記デリバリーホースの先端には、その先端の外径を拡径させた鍔状の拡径部が一体的に形成されており、
前記デリバリーホースの先端には、当該デリバリーホースの先端から吐出される生コンクリートの打設方向を調整する調整用ロープが脱着可能に取り付けられていることを特徴とするデリバリーホースの打設構造。
【請求項２】
前記デリバリーホースの先端には、基端及び先端の外径をそれぞれ一体的に拡径させた鍔状の拡径部を有する延長用デリバリーホースの基端が固定具を介して取り付けられており、
前記調整用ロープは、前記延長用デリバリーホースの先端に取り付けられている請求項１に記載のデリバリーホースの打設構造。
【発明の詳細な説明】
【技術分野】
【０００１】
本発明は、コンクリートポンプ車から圧送される生コンクリートをデリバリーホースを介して建築現場などの所望する箇所に吐出してコンクリート打設を行うようにしたデリバリーホースの打設構造に関する。
【背景技術】
【０００２】
従来より、ブームを備えたコンクリートポンプ車にあっては、そのコンクリートポンプ車からの生コンクリートを鉄配管を介して圧送し、その鉄配管の先端に可撓性を有するデリバリーホースの基端を固定することで、このデリバリーホースの先端を建築現場などの所望する打設場所に自在に導いて生コンクリートを打設するようにしたものが知られている（例えば、特許文献１参照）。
【先行技術文献】
【特許文献】
【０００３】
【特許文献１】特開平１１−１８２０４４号公報
【発明の概要】
【発明が解決しようとする課題】
【０００４】
ところで、デリバリーホースの先端から吐出される生コンクリートを打設場所においてコントロールしながら満遍なく打設しなければならない。そのため、打設作業に従事する作業者が使い勝手性を重視して、デリバリーホースの先端に調整用ロープを取り付け、先端から吐出される生コンクリートの打設方向を調整するようにしている。その一例としては、全長が８メートルのデリバリーホースの場合には、その先端から吐出される生コンクリートの打設方向を調整する４〜５本の調整用ロープを先端に取り付けている。そして、調整用ロープの取り付けは、打設作業に従事する作業者自らがデリバリーホースの先端に取り付けた調整用ロープの上から生コンクリートを塗り固めたりして行うことがある。
【０００５】
しかしながら、デリバリーホースの先端は調整用ロープを取り付けることを前提とした構造ではなく、デリバリーホースの外径が先端に至るまで同一径に形成されたものであるため、調整用ロープがデリバリーホースの先端から不用意に外れてしまうおそれがある。
また、生コンクリートの成分が悪影響を及ぼして調整用ロープを断裂させてしまうこともある。
【０００６】
本発明は、かかる点に鑑みてなされたものであり、その目的とするところは、デリバリーホースの先端からの調整用ロープの不用意な外れを確実に防止することができるとともに、生コンクリートの悪影響を及ぼす成分による調整用ロープの断裂を確実に防止することができるデリバリーホースの打設構造を提供することにある。
【課題を解決するための手段】
【０００７】
前記目的を達成するため、本発明では、ポンプから鉄製配管を介して圧送される生コンクリートを前記鉄製配管の先端に基端が固定された可撓性を有するデリバリーホースを介して打設するようにしたデリバリーホースの打設構造を前提とする。そして、前記デリバリーホースの先端に、その先端の外径を拡径させた鍔状の拡径部を一体的に形成する。更に、前記デリバリーホースの先端に、当該デリバリーホースの先端から吐出される生コンクリートの打設方向を調整する調整用ロープを脱着可能に取り付けている。
この特定事項により、生コンクリートの打設方向を調整する調整用ロープは、デリバリーホースの先端に取り付けられた際にその先端の拡径部によって止められる。これにより、デリバリーホースの先端からの調整用ロープの不用意な外れを確実に防止することが可能となる。しかも、デリバリーホースの先端に取り付けた調整用ロープの上から生コンクリートを塗り固めて固定する必要がなくなり、生コンクリートの悪影響を及ぼす成分による調整用ロープの断裂を確実に防止することが可能となる。
【０００８】
また、前記デリバリーホースの先端に、基端及び先端の外径をそれぞれ一体的に拡径させた鍔状の拡径部を有する延長用デリバリーホースの基端が固定具を介して取り付けられており、その延長用デリバリーホースの先端に前記調整用ロープを取り付けることが好ましい。
【０００９】
この延長用デリバリーホースは、所望する打設場所にデリバリーホースがほんの少し届かないときに取り付けられる。これは、所望する打設場所にデリバリーホースがほんの少しでも届かなければ、従来では鉄製配管を別途追加してデリバリーホースの先端を前記打設場所に届かせる手法が採られるが、これでは、鉄製配管を別途追加するに当たり、打設作業に従事する作業者に過度の負担が強要されてしまうからである。つまり、打設場所の近くでは、デリバリーホースの敷設経路が複雑に入り組んでいることが多々あるため、前記既存の鉄製配管の先端とデリバリーホースの基端との間において、前記敷設経路のコーナー部ではコーナー用鉄製配管をつなぐ必要がある上、直線部では直線用鉄製配管をつなぐ必要があり、打設作業に手間を要して時間が嵩み、打設作業に従事する作業者に過度の負担（疲労）を与えるからである。この傾向は、敷設経路が曲がりくねるなどしているほど顕著に現れる。
しかも、打設現場の特定箇所、例えば厨房、トイレや浴室などでは、特殊な生コンクリートを打設する必要がある。この特殊な生コンクリートは少量でよいものの、打設現場Ｘ１においてその特定箇所に少量ずつ振り分けて打設しなければならないため、その都度、コーナー用鉄製配管及び直線用鉄製配管をつなぎ直していると、打設作業に大幅な手間を要して時間が大幅に嵩み、打設作業に従事する作業者に極めて大きな負担が掛かってしまう。
【００１０】
そこで、所望する打設場所にデリバリーホースがほんの少し届かないときに、デリバリーホースの先端に延長用デリバリーホースの基端をつなぐことで、コーナー用鉄製配管及び直線用鉄製配管を別途追加することなく、所望する打設場所や打設現場の特定箇所に円滑に延長用デリバリーホースの先端が導かれる。このため、所望する打設場所や打設現場の特定箇所に延長用デリバリーホースの先端を導く上で、その敷設経路が複雑に入り組んでいても、延長用デリバリーホースの可撓性によりコーナー部が円滑にクリアされ、敷設経路に応じたコーナー用鉄製配管及び直線用鉄製配管をつなぐ作業が全く不要となる。これにより、打設作業に要する手間を削減して時間の短縮化を大幅に図ることができる上、打設作業の従事者への過度の負担（疲労）を飛躍的に軽減することができる。しかも、打設作業に要する時間の短縮化が図れることから、生コンクリートミキサー車により混練りしながら打設現場まで運ばれてきた生コンクリートを所望する打設場所や特定箇所に迅速に打設することができる。
【００１１】
また、調整用ロープが、延長用デリバリーホースの先端に取り付けられているので、デリバリーホースでは届かない所望する打設場所や打設現場の特定箇所においても、延長用デリバリーホースの先端をコントロールしながら満遍なく生コンクリートを打設することができる。
【発明の効果】
【００１２】
以上、要するに、デリバリーホースの先端において外径を拡径させた鍔状の拡径部に、前記デリバリーホースの先端から吐出される生コンクリートの打設方向を調整する調整用ロープを脱着可能に取り付けることで、デリバリーホースの先端からの調整用ロープの不用意な外れを確実に防止することができる。しかも、調整用ロープを生コンクリートで塗り固めて固定する必要がなく、生コンクリートの悪影響を及ぼす成分によるデリバリーホースの断裂を確実に防止することができる。
【図面の簡単な説明】
【００１３】
【図１】本発明の第１の実施の形態に係るデリバリーホースの打設構造を適用したブーム車両の側面図である。
【図２】図１の鉄製配管の先端にデリバリーホースの基端を固定具により固定した状態を示す断面図である。
【図３】図１の鉄製配管の先端にデリバリーホースの基端を固定具により固定する前の状態を示す斜視図である。
【図４】図１のデリバリーホースの先端に調整用ロープを取り付けた状態を示す斜視図である。
【図５】本発明の第２の実施の形態に係るデリバリーホースの打設構造を適用したデリバリーホースの先端に基端を固定具で固定した延長用デリバリーホースの先端に調整用ロープを取り付けた状態を示す断面図である。
【発明を実施するための形態】
【００１４】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１を用いて、本発明の第１の実施の形態に係るデリバリーホースの敷設構造を適用したブーム車両の概略構成について説明する。
【００１５】
図１に示すように、１はブーム車両であって、このブーム車両１は、４つのブーム１１〜１４が順次連結され、それぞれ個別に連結された油圧シリンダ１５〜１８により伸縮される。前記各ブーム１１〜１４は、前記ブーム車両１の荷台１０に第１軸部１０１を介して基端が支持された第１ブーム１１と、この第１ブーム１１の先端に第２軸部１１１を介して基端が支持された第２ブーム１２と、この第２ブーム１２の先端に第３軸部１２１を介して基端が支持された第３ブーム１３と、この第３ブーム１３の先端に第４軸部１３１を介して基端が支持された第４ブーム１４とからなる。また、前記各油圧シリンダ１５〜１８は、前記荷台１０と前記第１ブーム１１の基端側（第１軸部１０１よりも中央寄り）とにそれぞれ支持された第１油圧シリンダ１５と、前記第１ブーム１１の略中央位置と前記第２ブーム１２の基端とにそれぞれ支持された第２油圧シリンダ１６と、前記第２ブーム１２の略中央位置と略半円弧状のリンク１９を介して前記第３ブーム１３の基端（第３軸部１２１よりも中央寄り）とにそれぞれ支持された第３油圧シリンダ１７と、前記第３ブーム１３の略中央位置と前記第４ブーム１４の基端とにそれぞれ支持された第４油圧シリンダ１８とからなる。前記リンク１９は、その両端が前記第２ブーム１２の基端（第３軸部１２１よりも中央寄り）と前記第３ブーム１３の基端とに支持され、その中央位置に第３油圧シリンダの先端が支持されている。そして、図１に示すように、建設現場において建物Ｘの打設現場Ｘ１が屋上である場合には、第１〜第３油圧シリンダ１５〜１７を伸張させて第１〜第３ブーム１１〜１３を上方へ向かってほぼ直線状に伸ばしてから、第４油圧シリンダ１８を伸張させて第４ブーム１４を建物Ｘ側に伸ばすことによって、後述するデリバリーパイプ２８が打設現場Ｘ１まで導かれるようにしている。
【００１６】
また、ブーム車両１には、図示しない生コンクリートポンプ車から圧送される生コンクリートを打設現場Ｘ１まで導く配管２が設けられている。この配管２は、前記第１軸部１０１内を貫通し、かつ生コンクリートポンプ車からの生コンクリート送出管の先端が一端に接続される第１貫通管２０と、この第１貫通管２０の他端に一端が接続され、前記第１ブーム１１の右側面（図１では紙面奥側の面）に沿って基端から先端に亘って延びる鉄製の第１鉄製配管２１と、この第１鉄製配管２１の他端に一端が接続され、前記第２軸部１１１内を貫通する第２貫通管２２と、この第２貫通管２２の他端に一端が接続され、前記第２ブーム１１の左側面（図１では紙面手前側の面）に沿って基端から先端に亘って延びる鉄製の第２鉄製配管２３と、この第２鉄製配管２３の他端に一端が接続され、前記第３軸部１２１内を貫通する第３貫通管２４と、この第３貫通管２４の他端に一端が接続され、前記第３ブーム１３の右側面に沿って基端から先端に亘って延びる鉄製の第３鉄製配管２５と、この第３鉄製配管２５の他端に一端が接続され、前記第４軸部１３１内を貫通する第４貫通管２６と、この第４貫通管２６の他端に一端が接続され、前記第４ブーム１４の左側面に沿って基端から先端に亘って延びる鉄製の第４鉄製配管２７と、この第４鉄製配管２７の先端に一端が接続され、前記第４ブーム１４の先端から導出される可撓性のある合成樹脂製のデリバリーホース２８とからなる。そして、生コンクリートポンプ車から圧送される生コンクリートは、第１貫通管２０、第１鉄製配管２１、第２貫通管２２、第２鉄製配管２３、第３貫通管２４、第３鉄製配管２５、第４貫通管２６、第４鉄製配管２７及びデリバリーホース２８を順に介して送給され、このデリバリーホース２８の先端から生コンクリートが吐出されるようになっている。この場合、デリバリーホース２８としては、全長８メートルの定尺サイズのものが適用されている。
【００１７】
そして、図２に示すように、前記デリバリーホース２８の基端には、前記第４鉄製配管２７の先端に形成された拡径部２７１と同様に外径を拡径させた鍔状の拡径部２８１が一体的に形成されている。このデリバリーホース２８基端の拡径部２８１と、前記第４鉄製配管２７先端の拡径部２７１とは、固定具としてのワンタッチジョイント３によって固定されている。このワンタッチジョイント３は、図３に示すように、互いの拡径部２８１，２７１を抱き合わせた状態で外方から包囲する断面略コ字状の包囲部３０をそれぞれ有する半円弧状の２つの包囲部材３１，３２を備えている。この各包囲部材３１，３２は、互いの一端同士がヒンジ３３を介して開閉自在に支持されている。また、一方（図３では右下側）の包囲部材３１の他端には、軸３４を介してボルト部材３５が回動自在に支持され、このボルト部材３５の先端にナット３６が螺着されている。他方（図３では左上側）の包囲部材３２の他端には、前記両包囲部材３１，３２の閉塞時に前記ボルト部材３５の先端側が挿通されるように間隙を存して対峙する一対の挿通壁３７，３７が突設されている。そして、前記ワンタッチジョイント３は、前記デリバリーホース２８の基端及び第４鉄製配管２７の先端の拡径部２８１，２７１を抱き合わせた状態で外方から包囲するように包囲部材３１，３２により閉塞し、前記ボルト部材３５の先端側を一対の挿通壁３７，３７間の間隙に挿通させ、各挿通壁３７の裏面３７１に対しナット３６を締め付けることで、前記両拡径部２８１，２７１を強固に固定するようにしている。
【００１８】
また、図４に示すように、前記デリバリーホース２８の先端にも、その基端の拡径部２８１と同様に外径を拡径させた鍔状の拡径部２８２が一体的に形成されている。そして、このデリバリーホース２８の先端には、当該デリバリーホース２８の先端から吐出される生コンクリートの打設方向を調整する４本の調整用ロープ４１〜４４が脱着可能に取り付けられている。この各調整用ロープ４１〜４４は、デリバリーホース２８の先端に結わえられた２本のロープ４５，４６の結び目４５１，４６１からそれぞれ派生するものである。
【００１９】
したがって、前記第１の実施の形態では、生コンクリートの打設方向を調整する調整用ロープ４１〜４４は、デリバリーホース２８の先端に取り付けられた際にその先端の拡径部２８２によって止められる。これにより、デリバリーホース２８の先端からの調整用ロープ４１〜４４の不用意な外れを確実に防止することができる。しかも、デリバリーホース２８の先端に取り付けた調整用ロープ４１〜４４の上から生コンクリートを塗り固めて固定する必要がなくなり、生コンクリートの悪影響を及ぼす成分による調整用ロープ４１〜４４の断裂を確実に防止することができる。
【００２０】
次に、本発明の第２の実施の形態を図５に基づいて説明する。
本実施の形態では、デリバリーホースの先端に延長用デリバリーホースを連結している。なお、延長用デリバリーホースを除くその他の構成は、前記第１の実施の形態と同じであり、同一部分については同じ符号を付してその詳細な説明は省略する。
【００２１】
すなわち、図５に示すように、デリバリーホース２８の先端と、基端及び先端の外径をそれぞれ一体的に拡径させた鍔状の拡径部２９１，２９２を有する延長用デリバリーホース２９の基端とは、ワンタッチジョイント３を介して固定されている。この延長用デリバリーホース２９も、デリバリーホース２８と同様に可撓性のある合成樹脂よりなり、全長が３〜４メートルのものが適用されている。そして、前記延長用デリバリーホース２９の基端を固定するに当たってデリバリーホース２８の先端から取り外された調整用ロープ４１〜４４は、その延長用デリバリーホース２９の先端に取り付けられている。
【００２２】
前記延長用デリバリーホース２９は、所望する打設場所にデリバリーホース２８がほんの少し届かないときに取り付けられる。これは、所望する打設場所にデリバリーホース２８がほんの少しでも届かなければ、従来では鉄製配管を別途追加してデリバリーホース２８の先端を前記打設場所に届かせる手法が採られるが、これでは、鉄製配管を追加するに当たり、打設作業に従事する作業者に過度の負担が強要されてしまうからである。つまり、打設場所の近くでは、デリバリーホースの敷設経路が複雑に入り組んでいることが多々あるため、前記第４鉄製配管２７の先端とデリバリーホース２８の基端との間において、前記敷設経路のコーナー部ではコーナー用鉄製配管をつなぐ必要がある上、直線部では直線用鉄製配管をつなぐ必要があり、打設作業に手間を要して時間が嵩み、打設作業に従事する作業者に過度の負担が余儀なくされるからである。この傾向は、敷設経路が曲がりくねるなどしているほど顕著に現れる。
しかも、打設現場Ｘ１の特定箇所、例えば厨房、トイレや浴室などでは、特殊な生コンクリートを打設する必要がある。この特殊な生コンクリートは少量でよいものの、打設現場Ｘ１においてその特定箇所に少量ずつ振り分けて打設しなければならないため、その都度、コーナー用鉄製配管及び直線用鉄製配管をつなぎ直していると、打設作業に大幅な手間を要して時間が大幅に嵩み、打設作業に従事する作業者に極めて大きな負担が掛かってしまう。
【００２３】
そこで、本実施の形態では、所望する打設場所にデリバリーホース２８がほんの少し届かないときに、デリバリーホース２８の先端に延長用デリバリーホース２９の基端をつなぐことで、コーナー用鉄製配管及び直線用鉄製配管を別途追加することなく、所望する打設場所や打設現場Ｘ１の特定箇所に円滑に延長用デリバリーホース２９の先端が導かれる。このため、所望する打設場所や打設現場Ｘ１の特定箇所に延長用デリバリーホース２９の先端を導く上で、その敷設経路が複雑に入り組んでいても、延長用デリバリーホース２９の可撓性によりコーナー部が円滑にクリアされ、敷設経路に応じたコーナー用鉄製配管及び直線用鉄製配管をつなぐ作業が全く不要となる。これにより、打設作業に要する手間を削減して時間の短縮化を大幅に図ることができる上、打設作業の従事者への過度の負担（疲労）を飛躍的に軽減することができる。しかも、打設作業に要する時間の短縮化が図れることから、生コンクリートミキサー車により混練りしながら打設現場Ｘ１まで運ばれてきた生コンクリートを所望する打設場所や特定箇所に迅速に打設することができる。
【００２４】
また、デリバリーホース２８の先端から取り外された調整用ロープ４１〜４４が、延長用デリバリーホース２９の先端に取り付けられているので、デリバリーホース２８では届かない所望する打設場所や打設現場Ｘ１の特定箇所においても、延長用デリバリーホース２９の先端をコントロールしながら満遍なく生コンクリートを打設することができる。
【００２５】
しかも、デリバリーホース２８の先端、並びに延長用デリバリーホースの基端及び先端に拡径部２８２，２９１，２９２がそれぞれ設けられていることにより、延長用デリバリーホース２９が不慮の事故などにより途中から断裂していても、その断裂した延長用デリバリーホース２９の先端又は基端の拡径部２９１（又は２９２）をデリバリーホース２８の先端の拡径部２８２に、ワンタッチジョイント３を介して固定すれば、断裂した延長用デリバリーホース２９を再利用することができる。
【００２６】
本発明は、前記各実施の形態に限定されるものではなく、その他種々の変形例を包含している。例えば、前記各実施の形態では、デリバリーホース２８の敷設構造をブーム車両１に適用した場合について述べたが、多段式のブームを備えた生コンクリートポンプ車にデリバリーホースの敷設構造が適用されていてもよい。この場合には、生コンクリートミキサー車から送出された生コンクリートが、生コンクリートポンプ車により圧送されつつ各貫通管及び鉄製配管を介してデリバリーホースまで送給され、このデリバリーホースの先端から吐出される。
【００２７】
また、前記各実施の形態では、デリバリーホース２８の先端にワンタッチジョイント３を介して全長３〜４メートルの延長用デリバリーホース２９の基端を固定したが、延長用デリバリーホースの全長はこれに限定されるものではなく、３メートル未満又は４メートルを超える延長用デリバリーホースの基端がデリバリーホースの先端にワンタッチジョイントを介して固定されていてもよいのはいうまでもない。
【００２８】
また、前記各実施の形態では、デリバリーホース２８又は延長用デリバリーホースの先端に２本のロープ４５，４６の結び目からそれぞれ派生する４本の調整用ロープ４１〜４４を取り付けた場合について述べたが、調整用ロープの本数はこれに限定されるものではなく３本以下又は５本以上であってもよい。また、複数の調整用ロープが１本ずつ個別にデリバリーホース又は延長用デリバリーホースの先端に取り付けられていてもよいのはいうまでもない。
【００２９】
また、前記第２の実施の形態では、デリバリーホース２８の先端から取り外した４本の調整用ロープ４１〜４４を延長用デリバリーホース２９の先端に取り付けたが、デリバリーホースの先端から調整用ロープ４１〜４４を取り外さずに延長用デリバリーホースの先端には別途調整用ロープが取り付けられていてもよい。
【００３０】
更に、前記各実施の形態では、デリバリーホース２８及び延長用デリバリーホース２９の先端にそれぞれ単一の拡径部２８２，２９２を一体的に形成したが、デリバリーホース及び延長用デリバリーホースの先端にそれぞれ複数の拡径部が所定間隔隔てて一体的に形成されていてもよい。この複数の拡径部同士は、先端側の拡径部を外方から包囲するワンタッチジョイントとの干渉を回避可能となる程度の間隔を要する。この場合、調整用ロープは、デリバリーホース及び延長用デリバリーホースの先端において拡径部同士の間に取り付けられていると、デリバリーホース及び延長用デリバリーホースの軸方向（先端側及び基端側）への調整用ロープの移動が確実に規制され、デリバリーホース及び延長用デリバリーホースの先端からの調整用ロープの不用意な外れをより確実に防止することが可能となる。
【符号の説明】
【００３１】
２１    第１鉄製配管
２３    第２鉄製配管
２５    第３鉄製配管
２７    第４鉄製配管
２８    デリバリーホース
２８２  拡径部
４１〜４４  調整用ロープ
２９    延長用デリバリーホース
２９１，２９２  拡径部
３      ワンタッチジョイント（固定具）
【図１】
2011127357.tif 000003
【図２】
2011127357.tif 000004
【図３】
2011127357.tif 000005
【図４】
2011127357.tif 000006
【図５】
2011127357.tif 000007